(57)【要約】  サージによる故障の発生が抑制された冷蔵庫を実現する。冷蔵庫（１０）は、サーモスタット（ＴＭ）が、導通状態において外部電源電圧をインバータ制御回路（ＩＮＶ）に出力し、遮断状態において外部電源電圧をインバータ制御回路に出力せず、サーモスタットへの外部電源電圧の供給線と、アース端子（Ｅ）との間に、サージ対策部品（Ｓｃ）が接続される。
2020090752.tif 000002
【特許請求の範囲】
【請求項１】
圧縮機と、前記圧縮機を制御するインバータ制御回路と、貯蔵室と、前記貯蔵室に設けられたサーモスタットと、前記サーモスタットへの外部電源電圧の供給線と、アース端子とを備え、
前記サーモスタットは、導通状態において前記外部電源電圧を前記インバータ制御回路に出力し、遮断状態において前記外部電源電圧を前記インバータ制御回路に出力せず、
前記サーモスタットへの外部電源電圧の供給線と、前記アース端子との間に、サージ対策部品が接続されていることを特徴とする冷蔵庫。
【請求項２】
前記インバータ制御回路への外部電源電圧の供給線を備え、
前記サーモスタットへの外部電源電圧の供給線と、前記インバータ制御回路への外部電源電圧の供給線との分岐点より上流側に、前記サージ対策部品が接続されていることを特徴とする、請求項１に記載の冷蔵庫。
【請求項３】
前記外部電源電圧を導入する電源コードを備え、
前記電源コードの冷蔵庫筐体への導入部近傍に、前記サージ対策部品が配置されることを特徴とする、請求項１または２に記載の冷蔵庫。
【請求項４】
前記サージ対策部品が前記インバータ制御回路と同一の基板または同一の筐体内に配置されることを特徴とする、請求項１から３のいずれか１項に記載の冷蔵庫。
【請求項５】
前記サーモスタットは導電性の外殻を備え、前記アース端子に接続された配線が、前記外殻に接続されていることを特徴とする、請求項１から４のいずれか１項に記載の冷蔵庫。
【請求項６】
前記サージ対策部品は、バリスタ、サージアブソーバ、またはアレスタのいずれかを含むことを特徴とする、請求項１から５のいずれか１項に記載の冷蔵庫。
【発明の詳細な説明】
【技術分野】
【０００１】
本発明は、冷蔵庫に関する。
【背景技術】
【０００２】
貯蔵室の温度を保つための圧縮器の動作について、サーモスタットによるオンオフ制御を行う固定速度圧縮機を備えた冷蔵庫（固定速度圧縮機式冷蔵庫）が、シンプルな構成の冷蔵庫として知られている。また、インバータ制御による可変速度圧縮機を備えた冷蔵庫（可変速度圧縮機式冷蔵庫）が、より省電力の冷蔵庫として知られている。【０００３】
更に、特許文献１に開示されるように、上記の固定速度圧縮機を備えた冷蔵庫に用いられるサーモスタットを利用してインバータ制御を行い、低コスト化を図った可変速度圧縮機式冷蔵庫が検討されている。本技術において、インバータ制御回路は、貯蔵室の温度情報をサーモスタットから取得し、可変速度圧縮機の制御を行う。
【先行技術文献】
【特許文献】
【０００４】
【特許文献１】米国特許第６１３４９０１号明細書
【発明の概要】
【発明が解決しようとする課題】
【０００５】
しかしながら、サーモスタットの出力は、外部からの商用交流電源が導通または遮断した信号である。よって、上記低コスト化を図った可変速度圧縮機式冷蔵庫では、外部からの商用交流電源の電圧が制御信号として直接インバータ制御回路に入力されることとなる。【０００６】
固定速度圧縮機式冷蔵庫においてサーモスタットの出力は、固定速度圧縮機の電動機に直接入力されるか、若しくは固定速度圧縮機の電動機のＡＣ入力のリレーを制御するのに用いられる。これらは、サージへの耐性が強い電装部品であるため、商用交流電源系統からサーモスタットの出力に混入するサージが特に問題となることはなかった。しかし、サーモスタットの出力が、直接インバータ制御回路に入力されると、このようなサージが印加されてインバータ制御回路の故障の原因となる可能性があることが判明した。【０００７】
本発明の一態様は、サーモスタットを温度検出に用いる可変速度圧縮機式冷蔵庫において、サージによるインバータ制御回路の故障の発生が抑制された冷蔵庫を実現することを目的とする。
【課題を解決するための手段】
【０００８】
上記の課題を解決するために、本発明の一態様に係る冷蔵庫は、圧縮機と、前記圧縮機を制御するインバータ制御回路と、貯蔵室と、前記貯蔵室に設けられたサーモスタットと、前記サーモスタットへの外部電源電圧の供給線と、アース端子とを備え、前記サーモスタットは、導通状態において前記外部電源電圧を前記インバータ制御回路に出力し、遮断状態において前記外部電源電圧を前記インバータ制御回路に出力せず、前記サーモスタットへの外部電源電圧の供給線と、前記アース端子との間に、サージ対策部品が接続されている。
【発明の効果】
【０００９】
本発明の一態様によれば、サーモスタットを温度検出に用いる可変速度圧縮機式冷蔵庫において、サージによるインバータ制御回路の故障の発生が抑制された冷蔵庫が実現できる。
【図面の簡単な説明】
【００１０】
【図１】実施形態１に係る冷蔵庫の正面図である。
【図２】実施形態１に係る冷蔵庫の、扉を開いた状態の正面図である。
【図３】実施形態１に係る冷蔵庫の、背面斜め方向からの鳥瞰図である。
【図４】実施形態１に係る冷蔵庫の、概略回路図である。
【図５】実施形態１に係る冷蔵庫の、サーモスタットの外形を示す概略図である。
【図６】実施形態１に係る冷蔵庫の、サージ吸収回路の具体例を示す回路図である。
【図７】実施形態２に係る冷蔵庫の、概略回路図である。
【図８】実施形態１に係る冷蔵庫と断熱箱体を共通とした、固定速度圧縮機式冷蔵庫の概略回路図である。
【発明を実施するための形態】
【００１１】
〔実施形態１〕
以下、本発明の一実施形態について、図１〜６を用いて詳細に説明する。
【００１２】
図１は、本実施形態に係る冷蔵庫１０の正面図である。冷蔵庫１０の正面は、扉１１がほぼ全面を覆っている。図２は、扉１１を開けた状態の正面図である。冷蔵庫１０の内部は貯蔵室であり、上部の冷凍室１３と、冷蔵室１４とから構成されている。扉１１の内側には、収納ポケット１２が設けられている。冷蔵室１４には、棚板１５、トレイ１６が設けられ冷蔵室１４が適宜区分されている。冷凍室１３の横の位置には、ダイヤル１４１が配置されている。ダイヤル１４１は、外部からは直接見えないところに設置されているサーモスタット１４０の、設定温度の調整のためのダイヤルである。このように冷蔵庫１０において、サーモスタット１４０が、貯蔵室の温度設定を行うために用いられている。図示されないが、冷凍室１３の壁面はエバポレータを兼ねており、エバポレータが冷却されることで貯蔵室全体の低温の維持が行われる。冷凍室１３と、冷蔵室１４とから構成される貯蔵室の全体は、断熱材を充填した断熱箱体として構成される。
【００１３】
図３は、冷蔵庫１０の背面斜め方向からの鳥瞰図である。冷蔵庫１０の底部には、背面に向けて開口している底部空間１７が設けられている。底部空間１７は、圧縮機等が配置し得る空間である。冷蔵庫１０に外部からの商用交流電源を導入するための電源コード１１０は、底部空間１７から外部に引き出されている。また、底部空間１７のシャーシ部分に、アース端子１２０（Ｅ）が設けられている。図３には示されないが、後述のインバータ制御回路ＩＮＶ、サージ吸収回路ＳＡも底部空間１７内に設置される。
【００１４】
図４は、冷蔵庫１０の回路構成の概要を示す回路図である。図において点線で囲った領域は底部空間１７の範囲を示す。図４で底部空間１７外に配された回路部分は、断熱箱体内に配置される電装部である。断熱箱体から底部空間１７に配線が引き出された箇所には、各端子Ｒ１、Ｒ２、Ｅｔ、Ｔ１、Ａ２、Ａ１が設けられている。
【００１５】
断熱箱体内の電気回路の構成は以下の通りである。
【００１６】
端子Ｒ１は、扉スイッチＳＷを介して庫内灯Ｌに接続され、そのリターンが端子Ｒ２に接続される。また、端子Ｒ１から分岐した配線が、端子Ａ１及びサーモスタットＴＭ（１４０）の一端に接続される。サーモスタットＴＭの他端が端子Ｔ１に接続される。サーモスタットＴＭ（１４０）の導電性の外殻１４２に設けられたアース用端子が、端子Ｅｔに接続される。端子Ａ２が端子Ｒ２に接続される。
【００１７】
端子Ｒ１及び端子Ｒ２は、断熱箱体内に外部電源電圧を供給するための端子対である。端子Ａ１及び端子Ａ２は、底部空間１７内に設置される圧縮機に対して外部電源電圧を供給するためのサービス端子対である。端子Ｔ１は、サーモスタット信号を取り出すための端子である。
【００１８】
図５には、サーモスタット１４０の外観を示す。サーモスタット１４０は、導電性の外殻１４２を備える。また、サーモスタット１４０は、一対の外部端子１４４と、導電性の外殻１４２に設けられたアース用端子１４３とを備える。一対の外部端子１４４は、端子Ｔ１及び端子Ｒ１に配線にて接続される。更に、サーモスタット１４０は、温度設定用のダイヤル１４１と、キャピラリー１４６とを備える。キャピラリー１４６は、先端の温度感知部を備え、貯蔵室の所要の位置に固定される。例示として、冷凍室１３の壁面にキャピラリー１４６の温度感知部が固定される。
【００１９】
底部空間１７内の回路の構成は以下の通りである。
【００２０】
外部の商用電源から電源電圧を導入するための一対の電源コード１１０が、冷蔵庫１０の筐体への導入部付近にて、サージ吸収回路ＳＡのＡＣ入力端子対に接続される。サージ吸収回路ＳＡの一方のＡＣ出力端子Ｌが、端子Ｒ１に接続され、もう一方のＡＣ出力端子Ｎが、端子Ｒ２に接続される。サージ吸収回路ＳＡのアース用端子Ｅｓが、アース端子Ｅ（１２０）に接続される。端子Ｅｔが、アース端子Ｅ（１２０）に接続される。なお、アース端子Ｅが外部の商用電源のアースに接続されていることが好ましい。
【００２１】
端子Ａ１及び端子Ａ２が、インバータ制御基板ＩＮＶのＡＣ入力端子対に接続される。端子Ｔ１が、インバータ制御回路ＩＮＶの温度信号入力端子に接続される。インバータ制御回路ＩＮＶの圧縮機制御出力（三線）が、可変速度圧縮機１３０の電動機Ｍに入力される。インバータ制御回路ＩＮＶ及び電動機Ｍのアース用端子がそれぞれ、アース端子Ｅ（１２０）に接続される。
【００２２】
以上の回路構成により、庫内灯Ｌは、扉１１の開閉に伴う扉スイッチＳＷのオン／オフにより、扉１１が開けられている際に点灯する。サーモスタットＴＭは、検知する冷凍室１３の壁面の温度が、設定値である上限温度よりも上昇した際に導通状態となり、端子Ｔ１に導通信号（外部電源電圧）を出力する。また、サーモスタットＴＭは、検知する冷凍室１３の壁面の温度が、設定値である下限温度よりも低下した際に遮断状態となり、端子Ｔ１に外部電源電圧を出力しない。言い換えれば、このときサーモスタットＴＭは、端子Ｔ１に遮断信号（無電圧）を出力する。インバータ制御回路ＩＮＶは、ＡＣ入力により起動し、サーモスタットＴＭから端子Ｔ１を通じて温度信号入力端子に入力される上記信号に基づいて、インバータの点弧制御を行う。そして、可変速度圧縮機の電動機Ｍの作動及び回転数を制御して、貯蔵室の温度を調整する。このような制御方法については、特許文献１やその他の公知技術を適用できる。
【００２３】
図６に、サージ吸収回路ＳＡの具体例を示す。サージ吸収回路ＳＡは、ＡＣ入力端子対、ＡＣ出力端子対、アース用端子Ｅｓを備える。本具体例において、ＡＣ入力端子対とＡＣ出力端子対は、それぞれの線路が直接接続されている。ＡＣ入力端子対間（ＡＣ出力端子対間）には、サージ対策部品Ｓｎが接続されている。サージ対策部品Ｓｎによりノーマルモードノイズを除去するためである。サーモスタットＴＭに接続されている端子Ｒ１に接続される側のＡＣ出力端子Ｌとアース用端子Ｅｓとの間には、サージ対策部品Ｓｃが接続されている。サージ対策部品Ｓｃによりコモンモードノイズを除去するためである。
【００２４】
ここで、サージ対策部品とは、過電圧が両端子間に印加されたときに、サージ対策部品を通じて電流が流れる（サージ電流を逃がす）機能を有した電子部品である。サージ対策部品は、サージ吸収部品またはサージ吸収素子とも称され得る。サージ対策部品は、バリスタ、アレスタ、サージアブソーバ等の部品が使用できる。
【００２５】
更に、それぞれのサージ対策部品Ｓｎ、ＳｃよりもＡＣ出力端子対側であって一対のＡＣ出力端子対間に２つのコンデンサＣが直列接続され、各コンデンサＣ間の接続点が、アース用端子Ｅｓに接続されている。これにより、いわゆるＹコンデンサが構成されている。インバータ制御回路ＩＮＶの発するスイッチングノイズが、商用電力系統に漏洩しないようにするためである。
【００２６】
上記の構成により、実施形態１に係る冷蔵庫１０においては、以下の利点を有する。
【００２７】
冷蔵庫１０は、インバータ制御回路ＩＮＶと、可変速度圧縮機１３０とを備えた、可変速度圧縮機式冷蔵庫である。よって、固定速度圧縮機式冷蔵庫と比較して、低消費電力化が実現される。
【００２８】
更に、上記特定の回路構成としているため、冷蔵庫１０の筐体部分である断熱箱体は、固定速度圧縮機式冷蔵庫９０との共用が可能である。次に図８を参照して、この点について説明する。
【００２９】
図８は、実施形態１に係る冷蔵庫１０と断熱箱体を共用した、固定速度圧縮機式冷蔵庫９０の回路構成の概要を示す図である。図において、点線で囲い示された底部空間１７の外の領域である断熱箱体内に配置される回路の部分構成は、図４の冷蔵庫１０と同じである。また、断熱箱体から底部空間１７に配線が引き出された箇所に設けられた各端子Ｒ１、Ｒ２、Ｅｔ、Ｔ１、Ａ２、Ａ１も、図４の冷蔵庫１０と同じである。
【００３０】
底部空間１７内の回路の構成は以下の通りである。
【００３１】
外部の商用電源を導入するための一対の電源コード１１０が、端子Ｒ１及び端子Ｒ２に接続される。この点、可変速度圧縮機式冷蔵庫である冷蔵庫１０からは、サージ吸収回路ＳＡが省略されていることとなる。端子Ｅｔが、アース端子Ｅ（１２０）に接続される。なお、アース端子Ｅが、外部の商用電源のアースに接続されていることが好ましい。
【００３２】
端子Ａ１及び端子Ａ２が、リレーＲＬを介して固定速度圧縮機９３０の電動機ｍのＡＣ入力対に接続される。リレーＲＬのオンオフ制御は、端子Ｔ１のサーモスタットＴＭからの出力で行われる。なお、リレーＲＬを用いず、サーモスタットＴＭからの出力で直接電動機ｍを駆動してもよい。この場合、図８において電動機ｍのＡＣ入力対のうちの端子Ａ１に接続されている側の端子は、端子Ｔ１に接続される。リレーＲＬを用いた場合、直接入力の場合のいずれにおいても、サーモスタットＴＭの導通／遮断により、電動機ｍがオン／オフされ、貯蔵庫の温度制御がなされることが理解される。なお、電動機起動用のＰＴＣ（Positive Temperature Coefficient）リレーが、電動機ｍの入力に適宜接続されていてもよい。
【００３３】
図４と図８とを比較して理解されるように、可変速度圧縮機式冷蔵庫である冷蔵庫１０と、固定速度圧縮機式冷蔵庫９０とで、内部の電気回路をも含めて断熱箱体を互換性のあるものとすることができる。このように内部の電気回路までも含めて断熱箱体の構成が共通化されていないと、互換性を確保することは困難である。なぜなら、断熱箱体の壁内部には、断熱材が充填されており、断熱箱体形成後に配線の変更を行うことができないからである。この点、本願発明では、断熱箱体から底部空間１７に配線が引き出された箇所に設けられた各端子までが一致するようにされている。よって製造者は、準備した断熱箱体に対して、開口している底部空間１７に圧縮機や周辺回路としてそれぞれの形式のものを設置し、各端子に対してコネクタ等で配線を接続することで、可変速度圧縮機式冷蔵庫も固定速度圧縮機式冷蔵庫も作り分けることができる。そのため、温度センサとして単に安価なサーモスタット方式を用いたということに限らず、断熱箱体の多量生産と、需要に応じた作り分けができるようになり、より低コストで可変速度圧縮機式冷蔵庫が実現できるようになる。
【００３４】
固定速度圧縮機式冷蔵庫では、サーモスタットＴＭの出力（端子Ｔ１）に対し、特にサージ対策はなされない。なぜなら、リレーＲＬや電動機ｍはサージへの耐性が強い電装部品であるため、商用交流電源系統からサーモスタットＴＭの出力に混入するサージが特に問題となることはなかったためである。しかしながら、サーモスタットＴＭの出力がインバータ制御回路ＩＮＶに入力される冷蔵庫１０においては、このようなサージがインバータ制御回路ＩＮＶを故障させる原因となり問題となった。本発明者らが種々対策を検討した結果によると、サーモスタットＴＭの出力から混入し、インバータ制御回路ＩＮＶを故障させるサージは、アースとサーモスタットＴＭの端子間のコモンモードノイズ（サージ）が主原因であった。
【００３５】
冷蔵庫１０においては、図４及び図６に示されたように、外部の商用電源からサーモスタットＴＭへの外部電源電圧の供給線（端子Ｒ１に接続されるＬライン）の側に、当該配線とアース端子Ｅとを接続するサージ対策部品Ｓｃが配置されている。これにより、サーモスタットＴＭを介して端子Ｔ１からインバータ制御回路ＩＮＶに導入されるコモンモードのサージが有効に防止される。
【００３６】
また、サージ対策部品Ｓｃは、サーモスタットへの外部電源電圧の供給線と、インバータ制御回路への外部電源電圧の供給線とが断熱箱体内で分岐する前の、端子Ｒ１よりも底部空間１７側（外部の商用電源側）に設けられている。よって、端子Ｒ１を介して端子Ａ１からインバータ制御回路ＩＮＶのＡＣ入力に導入され得るサージも同時に防止される。このように、サージ吸収回路ＳＡは、インバータ制御回路ＩＮＶに対して、ＡＣ入力端子対（圧縮機用サービス端子Ａ１、Ａ２）と温度信号入力端子（端子Ｔ１）を通じて導入され得るサージを、一回路で防止している。そのため、別々にサージ吸収回路を設ける場合と比較して、低コストでインバータ制御回路ＩＮＶを万全に保護することができる。
【００３７】
また、実施形態１では、サーモスタットＴＭの外殻１４２がアース端子Ｅに接続されていることで、外部ノイズによるサーモスタットＴＭの誤動作が防止されるが、一方で、外殻１４２を介してサーモスタットＴＭからインバータ制御回路ＩＮＶの温度信号入力端子にコモンモードノイズが重畳しやすくなる。そこで、サーモスタットＴＭに接続されるライン（端子Ｒ１のライン）とアースとの間にサージ対策部品Ｓｃを接続することで、サーモスタットＴＭの端子とアースとの間のコモンモードノイズを除去できるので、特にサーモスタットＴＭが遮断したとき、すなわち端子Ｔ１が開放状態となっているときに、アース端子Ｅからのサージノイズがインバータ制御回路ＩＮＶの温度信号入力端子に混入して、誤動作を起こしたり、インバータ制御回路ＩＮＶを故障させたりするおそれを排除できる。
【００３８】
更に、サージ吸収回路ＳＡは、冷蔵庫１０において、電源コード１１０の冷蔵庫筐体への導入部近傍に設けられる。そのため、冷蔵庫１０内部へのサージの導入自体が未然に防止される。例えば、サージ吸収回路ＳＡを、インバータ制御回路ＩＮＶの直前に設けたとすると、インバータ制御回路ＩＮＶに導入され得るサージ自体は防止し得るが、冷蔵庫内の配線をサージが通過することとなる。すると、冷蔵庫内に誘導ノイズを発生させ得るため、冷蔵庫内に他の電子機器が配置されている場合に問題を生じる可能性がある。しかし、冷蔵庫１０では、そのような虞も未然に防止される。ここで、冷蔵庫筐体への導入部近傍とは、図３において、電源コード１１０が冷蔵庫筐体から引き出されている部分の直ぐ内側をいう。また、図４の回路図において、電源コード１１０が固定された端子から、直ぐ近くをいう。あるいは、図４の回路図において、電源コード１１０が固定された端子から、他の回路基板または断熱箱体内の配線を経ずに直接サージ吸収基板ＳＡが接続されていることをいう。
【００３９】
また、サージ吸収回路ＳＡにおいて、インバータ制御基板ＩＮＶが発生するスイッチングノイズが外部電源側に漏洩することを防止するためのＹコンデンサは耐圧に限度があり、外部の商用電源からのサージにより故障する虞がある。しかし、冷蔵庫１０では、サージ吸収回路ＳＡにおいて、Ｙコンデンサよりも上流側（外部の商用電源側）にサージ対策部品Ｓｃ及びサージ対策部品Ｓｎが設けられているため、Ｙコンデンサを損傷させるようなサージが効果的に除去される。
【００４０】
〔実施形態２〕
本発明の他の実施形態について、以下に説明する。なお、説明の便宜上、上記実施形態にて説明した部材と同じ機能を有する部材については、同じ符号を付記し、その説明を繰り返さない。以下の実施形態についても同様である。
【００４１】
実施形態２に係る冷蔵庫２０は、図１〜６に示された冷蔵庫１０と同様の構造を有する。ただし、底部空間１７内の回路の構成が、冷蔵庫１０とは異なる。図７は、冷蔵庫２０の電気回路の概要を示す回路図である。図において点線で囲った領域は底部空間１７の範囲を示す。
【００４２】
断熱箱体から底部空間１７に配線が引き出された箇所に設けられる各端子Ｒ１、Ｒ２、Ｅｔ、Ｔ１、Ａ２、Ａ１は、冷蔵庫１０と同じである。底部空間１７内の回路の構成は以下の通りである。
【００４３】
冷蔵庫２０においては、可変速度圧縮機１３０の近傍に、インバータ制御回路ＩＮＶ及びサージ吸収回路ＳＡが構成された回路基板１５０が設けられている。
【００４４】
外部の商用電源を導入するための一対の電源コード１１０に接続された配線が、サージ吸収回路ＳＡのＡＣ入力端子対に接続される。サージ吸収回路ＳＡのＡＣ出力端子対は、回路基板１５０内にてインバータ制御回路ＩＮＶのＡＣ入力端子対に入力される。また、サージ吸収回路ＳＡの一方のＡＣ出力端子Ｌは分岐されて端子Ｒ１に接続され、もう一方のＡＣ出力端子Ｎは分岐されて端子Ｒ２に接続される。インバータ制御回路ＩＮＶのアース端子及びサージ吸収回路ＳＡのアース用端子Ｅｓが、アース端子Ｅ（１２０）に接続される。なお、インバータ制御回路ＩＮＶのアース用端子とサージ吸収回路ＳＡのアース用端子Ｅｓとは、回路基板１５０内で接続して共通の端子としてもよい。また、アース端子Ｅが外部の商用電源のアースに接続されていることが好ましい。インバータ制御回路ＩＮＶの圧縮機制御出力（三線）が、可変速度圧縮機１３０の電動機Ｍに入力される。端子Ｅｔ及び電動機Ｍのアース用端子が、アース端子Ｅ（１２０）に接続される。
【００４５】
インバータ制御回路ＩＮＶへのＡＣ入力が、回路基板１５０内でサージ吸収回路ＳＡから行われているため、端子Ａ１及び端子Ａ２の底部空間１７側には配線が接続されていない。しかし、冷蔵庫２０においても、サージ吸収回路ＳＡの位置が異なる他は、冷蔵庫１０と電気的には同様の回路構成である。よって、実施形態２においても、サージ吸収回路ＳＡが設置される物理的位置が異なることによる効果の相違を除いて、実施形態１と同様の効果が得られる。
【００４６】
また、冷蔵庫２０においては、サージ吸収回路ＳＡと、インバータ制御回路ＩＮＶとを、同一の回路基板１５０上に形成することができる。あるいは、別々の回路基板上であったとしても、同一の筐体内に形成することができる。よって、実施形態１のように回路基板及び筐体を別々に形成する場合と比較して、更にコスト低減が可能である。
【００４７】
更に、実施形態２では、サージ吸収回路ＳＡとインバータ制御回路ＩＮＶとを、可変速度圧縮機１３０に取り付けるなど、可変速度圧縮機１３０と一緒にパッケージ化することが可能となる。これにより、従来型の固定速度圧縮機を可変速度圧縮機に置き換えて配線処理をするだけで、容易に可変速度圧縮機式冷蔵庫とすることができ、より低コストかつ少ない工程で可変速度圧縮機式冷蔵庫が実現できるようになる。
【００４８】
〔付記事項〕
以上各実施形態において、サージ吸収回路ＳＡがそれぞれ特定の例である場合について説明された。しかし、サージ吸収回路ＳＡの具体的構成は上記に限られるものではない。例えば、図６の回路図において、ＡＣ入力端子対間のサージ対策部品Ｓｎまたは、Ｙコンデンサ、あるいはその双方を省略することが可能である。あるいは、図６の回路図において、アースに接続されるサージ対策部品Ｓｃが設けられていないＡＣ入力端子の側にも、アースに接続されるサージ対策部品を加えることも可能である。また、インバータ制御回路ＩＮＶからのスイッチングノイズの漏洩をより効果的に防止するため、Ｘコンデンサを回路内に設けてもよい。また、ＡＣ入力端子対とＡＣ出力端子対は、それぞれの線路が直接接続されているが、これに限らず、ＡＣ入力端子対とＡＣ出力端子対との間にコイル等のフィルタ素子を介在させてもよい。
【００４９】
〔まとめ〕
本発明の態様１に係る冷蔵庫は、圧縮機と、前記圧縮機を制御するインバータ制御回路と、貯蔵室（冷凍室１３及び冷蔵室１４）と、前記貯蔵室に設けられたサーモスタットと、前記サーモスタットへの外部電源電圧の供給線と、アース端子とを備え、前記サーモスタットは、導通状態において前記外部電源電圧を前記インバータ制御回路に出力し、遮断状態において前記外部電源電圧を前記インバータ制御回路に出力せず、前記サーモスタットへの外部電源電圧の供給線と、前記アース端子との間に、サージ対策部品が接続されている構成を備えている。
【００５０】
上記の構成によれば、サーモスタットを温度検出に用いる可変速度圧縮機式冷蔵庫において、サージによるインバータ制御回路の故障の発生が抑制された冷蔵庫を実現することが可能になる。
【００５１】
本発明の態様２に係る冷蔵庫は、上記態様１において、前記インバータ制御回路への外部電源電圧の供給線を備え、前記サーモスタットへの外部電源電圧の供給線と、前記インバータ制御回路への外部電源電圧の供給線との分岐点より上流側に、前記サージ対策部品が接続されていてもよい。
【００５２】
上記の構成によれば、インバータ制御回路に対して、サーモスタットへの電源電圧の供給線から混入するサージに留まらず、電源電圧の供給線から混入するサージをも、前記サージ対策部品で合わせて抑制することができる。
【００５３】
本発明の態様３に係る冷蔵庫は、上記態様１または２において、前記外部電源電圧を導入する電源コードを備え、前記電源コードの冷蔵庫筐体への導入部近傍に、前記サージ対策部品が配置され構成を備えていてもよい。
【００５４】
上記の構成によれば、インバータ制御回路に対して、サーモスタットへの電源電圧の供給線から混入するサージに留まらず、冷蔵庫内に混入するサージを合わせて抑制できる。
【００５５】
本発明の態様４に係る冷蔵庫は、上記態様１〜３において、前記サージ対策部品が前記インバータ制御回路と同一の基板または同一の筐体内に配置されていてもよい。
【００５６】
上記の構成によれば、サージ対策部品とインバータ制御回路を別部品として取り扱わなくてもよくなり、より低コストかつ少ない工程で可変速度圧縮機式冷蔵庫が実現できるようになる。
【００５７】
本発明の態様５に係る冷蔵庫は、上記態様１〜４において、前記サーモスタットが導電性の外殻を備え、前記アース端子に接続された配線が、前記外殻に接続されていてもよい。
【００５８】
上記の構成によれば、インバータ制御回路に対して、サーモスタットへの電源電圧の供給線から混入するサージを効果的に抑制できる。
【００５９】
本発明の態様６に係る冷蔵庫は、上記態様１〜５において、前記サージ対策部品が、バリスタ、サージアブソーバ、またはアレスタのいずれかを含む構成を備えていてもよい。
【００６０】
上記の構成によれば、上記サージ対策部品を具体的に構成できる。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。更に、各実施形態にそれぞれ開示された技術的手段を組み合わせることにより、新しい技術的特徴を形成することができる。
【符号の説明】
【００６２】
１０、２０  冷蔵庫
１１  扉
１２  収納ポケット
１３  冷凍室
１４  冷蔵室
１５  棚板
１６  トレイ
１７  底部空間
１１０  電源コード
１２０  アース端子（Ｅ）
１３０  可変速度圧縮機
１４０  サーモスタット（ＴＭ）
１４１  ダイヤル
１４２  外殻
１４３  アース用端子
１４４  外部端子
１４６  キャピラリー
１５０  回路基板
ＩＮＶ  インバータ制御回路
ＳＡ  サージ吸収回路
Ｓｃ、Ｓｎ  サージ対策部品
【図１】
2020090752.tif 000003
【図２】
2020090752.tif 000004
【図３】
2020090752.tif 000005
【図４】
2020090752.tif 000006
【図５】
2020090752.tif 000007
【図６】
2020090752.tif 000008
【図７】
2020090752.tif 000009
【図８】
2020090752.tif 000010
【国際調査報告】
2020090752.tif 000011
2020090752.tif 000012
2020090752.tif 000013
2020090752.tif 000014